(57)【要約】【目的】  遊泳魚のみならず多様な水生生物が遡上、或いは降河できる魚道を提供する。【構成】  河川や水路の断差部に設置する開水路状の魚道において、側壁面を水平面と５０度以下に傾斜した側壁面に形成し、該魚道内に配設する阻流板と傾斜側壁面間に、阻流板基底部に至る流水路を開窄形成した魚道にする。  阻流板は高さの異なるものを組み合わせ配列する事や、著しく短い配列ピッチの阻流板を介在させることで、魚道水位の広い範囲で減速効果を得やすくすると同時に、低水位時においても阻流板間のプール内水位を維持して、遊泳魚から水際を這行遡上する水生生物まで遡上しやすい魚道とする。  また、従来形の階段式魚道においては、垂直側壁または傾斜側壁の魚道に関わらず、平坦面や浅い溝、或いは、阻流板を備えたミニ魚道等の棚水路を、魚道の流水傾斜に沿わせて、魚道の側壁面に一体的に形成、或いは、別体に作った棚水路を取付配設し、遊泳魚が遡上する階段式魚道の機能に加えて、這行遡上する水生生物や、遊泳力の弱い水生生物が遡上できる魚道とする。【選択図】  図１
2005098057.tif 000002
【特許請求の範囲】
【請求項１】
開水路状魚道の側壁面を水平面と５０度以下に傾斜させた側壁面に形成し、該魚道内に配列する阻流板と傾斜側壁面間に、阻流板の基底部に至る流水路を開設して魚道となした多様な水生生物が往来できる魚道。
【請求項２】
魚道内に配列する阻流板に幾種類かの高さの異なる阻流板を用いて、高さの最も低い阻流板は隣接させて配列できるけれども、該阻流板以外の高さの阻流板は、当該阻流版より低い阻流板は介在させることができて、当該阻流板及び当該阻流板より高い阻流板を含む配列ピッチがほぼ一定になるように、繰返し配設した請求項１の多様な水生生物が往来できる魚道。
【請求項３】
魚道内に配設する阻流板の配列内に、休憩プール用阻流板を配設介在させる、該休憩プール用阻流板は、同等及び同等以上高さの阻流板を含む配列ピッチの１／３以下の間隔で、同等及び同等以上高さの阻流板と隣接させて配列し、該休憩プール用阻流板の配列ピッチが、該休憩プール用阻流板より低い阻流板の配列ピッチよりも大きい場合は、休憩プール内に該休憩プール用阻流板より低い阻流板を配設できるようにしてなる、請求項１及び請求項２の多様な水生生物が往来できる魚道。
【請求項４】
魚道水路を形成する垂直、或いは傾斜した側壁面に、１段から多数段に及ぶ棚状平坦面、或いは溝等の棚水路を、魚道の傾斜角度、または、魚道の流水傾斜に沿わせる形で、ほぼ全長にわたって形成配設してなる多様な水生生物が往来できる魚道。
【請求項５】
平坦面や溝状の棚水路、或いは、該棚水路に水平面と５０度以下に傾斜上昇する遡上壁を連設した棚水路を、阻流板の越流部頭頂部に載置、或いは、魚道の側壁面に階層状や階段状に、魚道の傾斜角度、または、魚道の流水傾斜に沿わせる形で、ほぼ全長にわたって仮設的に、或いは恒久的に配設した多様な水生生物が往来できる魚道。
【請求項６】
棚水路内に、ロープや編みひも、ホース、チェーン等を挿入配設、或いは阻流板を配設してなる請求項４、及び請求項５の多様な水性生物が往来できる魚道。
【請求項７】
請求項１から請求項６のいずれかを用いて、水生生物が河川、或いは、水路を遡上、降河できるようにする方法。
【発明の詳細な説明】
【発明の詳細な説明】
【産業上の利用分野】
【０００１】  本発明は一般河川の水門堰や砂防堰に併設される魚道や、砂防堰提の壁面に取付、或いは、水門堰扉体に組込み使用する魚道であり、アユ等の遊泳魚やエビ、カニ、ウナギ等の底生魚他、多様な水生生物の遡上往来を可能にする。
【背景技術】
【０００２】  既設魚道の多くは鮭や鮎等の遊泳魚を対象にした魚道であったが、近年では、底生魚の生態も徐々に解明され多くの研究論文、例えば、土木学会水理委員会河川部会、河川技術に関する論文集には『多様な水生生物の遡上・降河可能な魚道の提案』、７、２２１−２２６（２００１）等も発表されるようになり、特開２００２−２０６２２９等の新しい形態の魚道も提案されている。
【発明が解決しようとする課題】
【０００３】  従来のほとんどの魚道は遊泳魚を対象とした魚道であり、有用な食用資源であるモクズガニやエビ等の底生魚の遡上や移動はまったく無視されたものである。
近年発表された魚道においてもモクズガニ等の特定の魚種を対象にした魚道であり、また、変化の多い河川水位への対応も充分なものではない。
【０００４】  また、必要とする主要な魚道はすでに設置されているものであり、この既設魚道を、カニ、エビ、ウナギ、ドンコ等の底生魚にまで配慮した、多様な水生生物が遡上降河できる魚道に改造することも重要な課題である。
【課題を解決するための手段】
【０００５】  上記課題を解決するために本発明の請求項１では、魚道側壁面を水平線と５０度以下の、なるべく緩い角度に傾斜させると共に、該側壁面と魚道内に配列する阻流板の間に、阻流板の基底部に至る流水路を開窄した魚道とする。
阻流板の全高さに及ぶ魚道内水位において、底生魚等の水際を這行遡上する水生生物は、傾斜側壁面を遡上し、遊泳魚は流水路を遡上する。
【０００６】  請求項２の発明は、魚道内に配列する阻流板に幾種類かの高さの異なる阻流板を用いて、高さの最も低い阻流板は隣接させて配列できるけれども、該阻流板以外の高さの阻流板は、当該阻流版より低い阻流板を介在させて、当該阻流板及び当該阻流板より高い阻流板を含む配列ピッチが、ほぼ一定になるように、繰返し配設した魚道とする。
魚道内水位が低くなった場合において、各阻流板間プール内に滞留水位を確保して、遊泳力の弱い小形遊泳魚や稚魚が遡上できる魚道とする。
【０００７】  請求項３の発明は、魚道内に配設する通常の阻流板の配列内に、休憩プール用阻流板を配設介在させるもので、該休憩プール用阻流板は、同等高さ以上の阻流板を含む配列ピッチの１／３以下の間隔で、同等高さ以上の阻流板と隣接させて配列し、該休憩プール用阻流板の配列ピッチが、休憩プール用阻流板より低い他の阻流板の配列ピッチよりも大きい場合には、休憩プール内に該休憩プール用阻流板より低い阻流板を配設できるようにして構成した魚道で、休息プール内の流入、流出水量を低減させて、より安静なプールになし、遡上する遊泳魚に休息の場を与える。
【０００８】  請求項４の発明は、魚道の垂直な側壁面、或いは傾斜した側壁面に、魚道の傾斜角度、または、魚道の流水角度（魚道の越流水頭頂部を結ぶ線が水平面となす角度）に沿わせる形で、連続した平坦面や小さな溝等の棚水路を、１段、または、多数段、階段状や階層状に凹設する。
該棚水路が阻流板周辺で１部冠水し、或いは側壁面に飛散する水滴飛まつを集める等して流下水を得、水際や浅い水辺を這行遡上する水生生物に安定した姿勢で遡上できる直線的な遡上水路を与える。
【０００９】  請求項５の発明は、木材や金属の板材や合成樹脂材、或いはＦＲＰ材等の構成材で、断面形状を平坦または溝状に形成した棚水路、或いは、該棚水路に水平面と５０度以下の角度で斜め上方に伸延させた遡上壁を連接した遡上板付き棚水路を、魚道の傾斜角度または流水角度に沿わせる形で、魚道と別体に製作する。
【００１０】  該棚水路を新設、既設、或いは、傾斜側壁、垂直な側壁の魚道を問わず、魚道の越流部頭頂部に載置、或いは、魚道の側壁面に１段、または階段状や階層状に、魚道のほぼ全長にわたって、吊り金具やボルトを用いて仮設的に、或いは恒久的に配設する。
配設した棚水路は、冠水部で取り入れた水、或いは飛散する水滴飛まつを集めて流下し、水際や浅い水辺を遡上する水生生物に、魚道流下水に隣接した水辺水路を与える。
【００１１】  請求項６の発明は、前述した各棚水路に施工するもので、這行遡上するカニやエビがより確実な足場を確保するために、棚水路内全長にわたってロープや編み紐、或いはホース、ゴム紐等の足場材ロープを、一部が露呈するように、或いは水没するように挿入包設する。
また、遡上壁を持つ構成の棚水路にあっても、滑落した這行生物が一気に流されないように、凹凸の大きい縄状ロープやチェーンを、大き過ぎない棚水路に挿入包設して流下水に抵抗を与え、水勢の低減を図る。
【００１２】  更に、足場材を利用して這行遡上せず、低流速域のみを遡上する水生生物のために、棚水路内に魚道と同様の阻流板を配列し、小さな落差を繰り返すミニ魚道を構成する。
必要に応じて該ミニ魚道の阻流板上にも全長にわたって足場材ロープ等を配設し、早い流れの本流魚道の流下水勢を直接には受けない、這行遡上水生生物も遡上できる、小落差、低流速のミニ魚道棚水路とする。
【作用】
【００１３】  前記した請求項１の構成において、阻流板側面に開窄した流水路の流れは、阻流板の下方側プール滞留水面より下位においては、当該阻流板前後の水位差で加速され、また逆に、阻流板の抵抗を受けて流下する比較的早い流れ（以下射流と称す）である。
当該阻流板の下方側プール滞留水面より高位においては、阻流板前面では流水路に向けた外向き流れとなり、阻流板後方においては、魚道側壁面の傾斜によって、側壁面を滑落する形で、下段プール中心に向けた流れとなり、従来魚道の越流のような直線的な落下流と異なり、落下加速度が緩和される。
【００１４】  また、魚道の流水路を阻流板の基底部まで開窄したことで、阻流板間プール内に流砂を堆積させ難く、流下水量は流水路の巾と開口角度によって、魚道内の水位変化に対応させた、水量変化割合を配慮した流水量にできる。
流水路下位の射流は、魚道下流に堆積しやすい砂泥を、強い流れで遠くへ排除しやすく、また、魚を魚道に誘引しやすくなる。
【００１５】  前記する請求項２の構成は、高さの異なる複数種類の阻流板を配列することで、高水位時には大きなピッチの越流流れで減速効果を得やすくし、低水位時においても、阻流板間のプール内底面が露呈することを防止して滞留水位を維持し、小形遊泳魚が遡上しやすい、小落差、低流速の魚道とすることができる。
また、阻流板の配列数が多くなることは、流水量の多い場合における射流部流れに抵抗を与え、減速させる好ましい作用もある。
【００１６】  前記する請求項３の構成においては、著しく短い間隔で配列した休憩プール用阻流板を介在させることで、側壁面より落下流入する水量、及び、低位の射流部流水の影響を低減させ、遡上する遊泳魚に安静な休息プールを与える。
【００１７】  前記する請求項４の構成では、魚道の傾斜角度、或いは、流水傾斜に沿わせる形で配設した棚水路が、魚道の流下水面に最も近接する位置、或いは、流下水に最も深く冠水する位置は、阻流板の下流側端部の越流水、頭頂部周辺である。
１段、或いは１段以上配設した棚水路のいずれかが、越流水に冠水し、当該棚水路に流下水を取り込み、或いは魚道側壁周辺に飛散する流下水飛まつを棚水路に集めて流下する。
当該棚水路は、魚道本流に隣接した雰囲気の中で、流勢の緩和された、平坦面や浅い溝を安定した姿勢で這行遡上できる、より直線的な岸辺水路となる。
【００１８】  前記する請求項５の構成は、棚水路を形成しやすい構成材を使用して、魚道と別体に製作し、魚道に配設するものであるから、棚水路の形状を自由に形成でき、特に、既設の魚道にも自由に配設することができる。
魚道に配設した棚水路は、前述した請求項４の構成の場合同様の作用効果を呈するものである。
【００１９】  前記する請求項６の構成は、棚水路内に足場材、或いは抵抗材を挿入配設する構成のものである、這行遡上する性質の水生生物の遡上水路は、それぞれの水生生物が手爪やヒレ、吸盤、粘膜等で捕捉しやすいものとしなければならない。
【００２０】  例えば、縄状に撚り合わせたマニラロープを、大きくない余裕を持たせた矩形、或いは三角断面の棚水路に、一部が水面上に露呈する形で挿入配設すれば、マニラロープの外表面縄目の凹凸が流下水への抵抗となり、棚水路内流速を抑制し、遡上生物はマニラロープ周囲の気中または水中の好みの位置、或いは、棚水路の側壁面や底面を捕捉しながら遡上できる。
【００２１】  棚水路に連なる遡上壁を備えた構成の棚水路においても、棚水路内には阻流板を配列したり、チェーンを沈める等して流下水勢を抑制し、遡上中の水生生物が棚水路に落下して一気に流されることを防止する。
【００２２】  また、深さを持たせた溝形の棚水路に、阻流板を配列した小落差、低流速のプール形ミニ魚道とすることで、弱い流れしか遡上できない稚魚や這行遡上水生生物に遡上可能な遡上水路を与えられる。
【実施例】
【００２３】  請求項１の実施例を、実施例魚道１の側断面図を図１に示し、該魚道１の流路方向に直角な断面図を図２に示し、該魚道１を上方より見た平面図を図３に示し、図面を参照しながら説明する。
図２の断面図に示すように、両側に大きく開口する形の魚道１の両側壁は、水平面と５０度以下の傾斜角度δで形成し、該魚道１内に魚道をさえぎる形で配設する阻流板２は、傾斜側壁面ｓと角度βで、該阻流板２の基底部まで開窄し流水路ｄを形成し、ベース６上に配設し、魚道１内定面に装着固定する。
尚、流水路ｄにおける基底部の開き巾、及び角度βは自由に選定できる。【００２４】  実施例のように魚道１をコンクリートで形成した場合は、水際を這行遡上する水生生物が取付きやすいように、傾斜側壁面ｓは、表面にホウキ目等を入れて粗い表面にする。
また、大形魚道においては、阻流板２は魚道１と一体にコンクリート製にできる。【００２５】  図１及び図２には、阻流板２間プールｋの高水位時滞留水位ａ、中水位時の滞留水位ｂ、低水位時の滞留水位ｃと、各水位に対応した阻流板からの想定越流線ｅ、ｆ、ｇを示し、図３には側壁面ｓにおける平面上での想定濡れ縁線（水際線）を高水位時ｈ、中水位時ｉ、低水位時ｊを細線で図示する。【００２６】  魚道１内の流れは、阻流板２の前面では、流水路ｄに集まる形で外側方に向い、下流段プールｋの当該滞留水位（ａ、ｂ、ｃ）より高位においては、表層面は遅く、下位程速い越流状態で流水路ｄを流下し、側壁面ｓを滑落する形で、内向き流れとなって下流段プールｋに流入する。下流段プールｋの当該滞留水位より下位においては、流水路ｄを射流状態で流下する。【００２７】  魚道１を遡上する遊泳魚は、流水路ｄの越流部表層近くを遡上し、水際を這行遡上する性質の水生生物は、側壁面ｓを、図１に示す当該水位の越流線ｅ、ｆ、ｇ、及び図３に示す当該水位の濡れ縁線ｈ、ｉ、ｊを水際波形に沿って這行遡上する。【００２８】  請求項２の実施例は、実施例魚道１の側断面図を図４に示し、該魚道１に直角方向の断面図を図５に示し、該魚道１を上方より見た平面図を図６に示すように、高さの異なる３種類の阻流板２、３、４を図示するように配列する。【００２９】  また、図４及び図５には、プールｋ内水位を高水位ａ、中水位ｂ、低水位ｃ及びこれ等に対応する想定越流線を細線で示し、図６には平面上での傾斜側壁ｓの濡れ縁線ｈ、ｉ、ｊを細線で図示する。【００３０】  請求項３の実施例は、実施例魚道１の側断面図を図７に示すように、請求項１の実施例図１のものに、休息プール用阻流板５を２ピッチ毎に付加して配列したものである。
図７に示す各水位ａ，ｂ，ｃに対応する越流線ｅ、ｆ、ｇ及び、図７の平面図を図８に示し、各水位の濡れ縁線ｈ、ｉ、ｊを図示するように、休息プール１における越流線及びぬれ縁線の波形変化から分かるように、通常の配列ピッチの１／３以下の短い間隔で阻流板５を介在させたことで、休息プールｌ内への流入流出水量を抑制して、安静な休息プールｌとすることができる。【００３１】  また、休息プールｌは１ピッチ毎に設けることも、数ピッチ毎に設けることも自由にでき、高さの異なる阻流板を用いる請求項２の実施例図４の場合においても、最も高い阻流板２に限らず、中間高さの阻流板３の高さに合わせた休息プール用の阻流板を、阻流板３と並設して休憩プールとすることができる。【００３２】  以上述べてきた請求項１、請求項２、請求項３の実施例魚道１の断面形状は、図２及び図５に示すような左右対象な魚道を対象にしてきたが、本発明魚道を水門堰の扉体に一体化組込みする場合や、段差工堰提の壁面、或いは砂防堰の壁面等に施工する場合は、断面形状を図９の（イ）（ロ）のような形態で実施することができる。【００３３】  図９（イ）（ロ）の阻流板９の配列を図１、図４、図７の阻流板２、３、４、５に準じた配列とし、壁板７を水門堰扉体のスキンプレートと一体化兼用し、或いは、壁板７を河川の段差工堰提壁面や砂防堰壁面に取付配設することができる。【００３４】  請求項４の実施例は、図１０（イ）に実施例魚道１の断面図を示すように、魚道１の傾斜側壁面ｓに該魚道１の流水傾斜に沿わせる形で、２段の平坦な棚水路ｔを形成配設したもので、該棚水路ｔは詳細断面を図１０（ロ）に示すように幾分外方に傾斜させて浅い流水路に形成することも、溝状に形成することもできる。【００３５】  図１１（イ）の実施例は、阻流板１２より高い位置を傾斜側壁面ｐに形成した従来形の階段式魚道に、阻流板１２の頭頂部に合わせた位置と傾斜側壁面ｐの中段に棚水路ｔを配設したものである。
図１１（ロ）に示す実施例は、従来形の垂直な側壁面ｕを持った階段式魚道２１の右側側壁面ｕに、棚水路ｔを階段状に３段配設した実施例を示し、同図左側側壁面ｕには側方に窪ませた溝を３層に設けて棚水路ｔとした実施例を示す。【００３６】  本実施例の棚水路ｔ付近における流水路の流れを、図１１（イ）に断面を示す魚道１１の側断面図を図１２に示し説明する。
本発明の棚水路ｔを設けない場合の、魚道１１の側壁近傍部における越流流れは想定越流線ｆであり、垂直側壁の図１２（ロ）の魚道１２の場合は言うに及ばず、阻流板１２頭頂部より下方が垂直側壁である図１２（イ）の場合においても、阻流板１２の頭頂部ｑを結ぶ線ｍより下方に、垂直壁の水際線となるクロスハッチング部ｏが存在し、水際を這行する水生生物の遡上は難しい。【００３７】  しかし、棚水路ｔを配設することで、傾斜側壁面ｐとした図１１（イ）の魚道１１に限らず、垂直な側壁面ｕとした図１１（ロ）の魚道２１においても、図１２の冠水部ｘで棚水路ｔに取り込まれた水は、該棚水路ｔを流下しながら魚道本流にこぼれ落ち、下方に伸延する形の想定越流線ｎ状になり、また、棚水路ｔ内に残った水は下段の冠水部までの水路及び濡れ縁線を確保した遡上水路となる。
また、冠水しない上位の棚水路ｔにおいても、魚道本流の流下水に近接するに従い、水滴飛まつを棚水路ｔ内に集めて流下し、濡れ縁這行水生生物の遡上路となる。【００３８】  請求項５の実施例は、図１３（イ）にアイスハーバー形魚道３１の側壁面ｗに鋼板製棚水路ｖを２層に配設した実施例を示し、該棚水路ｖの詳細断面を図１４（ロ）に図示するように、構成材３７で先端に棚水路ｖを形成し、該棚水路ｖから傾斜上昇させて設けた遡上壁ｒを備えて構成した２層の棚水路ｖを、魚道３１の流水傾斜に沿う形で、側壁面ｗに配置したブラケット３５を利用し、ボルト等で魚道３１の全長にわたって取付固定したものである。【００３９】  棚水路ｖの断面形状は図１４にいろいろ図示するように、構成材３６で平坦またはわずかに傾斜させて浅い棚水路ｖを形成させた（イ）のもの、前述した（ロ）のもの、構成材３８で三角形の棚水路ｖを形成した（ハ）のもの、構成材３９で矩形に棚水路ｖを形成した（ニ）のもの等がある。【００４０】  図１３（ロ）に示す実施例は、平坦面、または、浅い水路とした棚水路ｖ部に、広い傾斜遡上壁ｒを連接した遡上板３３を、阻流板３２の越流部ｑ上に載置し、側壁面ｗから幾分離して下方水面に採光を行うようにして、側壁面ｗに配置したブラケット３４により取付固定したものである。【００４１】  図１３（イ）（ロ）の遡上壁ｒ及び平坦な棚水路、或いは、浅い水路とした棚水路ｖの底面等は水生生物が足爪等で捕捉這行しやすいようにネット貼付けや布目地加工、軟質ゴム張等の表面加工を行うことができる。【００４２】  請求項６の実施例は、図１５及び図１６に示すように、足場材や抵抗材を棚水路内に挿入配設して、水生生物の遡上を補助するものであり、図１５において（イ）は構成材３６の浅い棚水路ｖにロープ４２を載置配設したもの、（ロ）は構成材３７の三角溝の棚水路ｖにチェーン４１を挿入配設して流下水に抵抗を与えるもの、（ハ）は構成材３８の三角溝の棚水路ｖにロープ４２を配設したもの、（ニ）は構成材３９の矩形溝の棚水路にｖに、少ない余裕を持たせた大きさのロープ４２を挿入配設したもの等を示す。【００４３】  図１６においては、（ホ）に構成材３９の矩形の棚水路ｖに両側から中窪み状に阻流板４５を配列し、外表面に水草様紐等を編み込んだ編み紐４３を挿入配設したもの、（ヘ）には構成材３９の矩形の棚水路ｖに、上面に窪みを設けた阻流板４５を配列し、窪み部にホース、又は外周をネットで被覆したホース４４等を配設したもの、（ト）には構成材３９の矩形の棚水路ｖに阻流板４５のみを配列したもの等を示す。
【発明の効果】
【００４４】  本発明は以上説明したように、請求項１の発明においては、魚道プール内に砂泥を堆積させないで、大きな水位変化に対応でき、従来の落下越流よりも低い表層面流速の魚道とすることができる、更に、傾斜側壁面は、極端な低水量に至るまで、道行遡上する水生生物が遡上可能なぬれ縁を維持した魚道にできる。
【００４５】  請求項２の発明は、請求項１の効果に加え、低水量時においてもプール内水位を確保して、遊泳力の弱い水生生物が遡上できる魚道を提供できる。
【００４６】  請求項３の発明は、請求項１、請求項２の効果に加え、遡上する水生生物が休息、再遡上を繰り返せる遡上しやすい魚道を提供できる。
【００４７】  請求項４の発明は、魚道側壁面に棚水路を設ける事で、傾斜側壁面を備えた魚道、或いは、垂直な側壁面の魚道に関わらず、水際を這行遡上する水生生物に、安定した姿勢で、より直線的な遡上水路を提供できる。
【００４８】  請求項５の発明は、別体に製作した棚水路を魚道側壁面に取付配設し、特に、垂直側壁面の既設魚道も容易に配設改造できて、這行遡上する水生生物や遊泳力の弱い水生生物が遡上可能な、多様な水生生物が往来できる魚道にできる。
【００４９】  請求項６の発明は、這行遡上する水生生物や遊泳力の弱い水生生物に、より確実に遡上できる魚道水路を提供できる。
【００５０】  以上のような本発明魚道の効果は、新設、既設の魚道を問わず、魚を始めとする多様な水性生物が遡上往来できる魚道を提供して、破壊され続けてきた水生生物の生態系を著しく改善することができ、魚種の保存、保護、小魚を餌とする鳥類の保護にも役立ち、自然環境の回復保全に貢献する効果は大きい。
【００５１】  また、鮎、鮭等の遊泳魚以外は遡上できない従来の魚道で、危機的状態にある淡水魚水産資源の、ケガニ、エビ、ウナギ等の水産資源の回復増産にも大きく寄与する経済的効果は大きい。
【図面の簡単な説明】
【００５２】
【図１】  請求項１の実施例魚道の側断面図を示す。
【図２】  図１魚道の魚道１に直角な断面図である。
【図３】  図１魚道の上視図である。
【図４】  請求項２の実施例魚道の側断面図を示す。
【図５】  図４魚道の魚道１に直角な断面図である。
【図６】  図４魚道の上視図である。
【図７】  請求項３の実施例魚道の側断面図を示す。
【図８】  図７魚道の上視図である。
【図９】  （イ）及び（ロ）は請求項１、請求項２、請求項３の別の実施例、鋼板製の壁面取付用魚道の断面図を示す。
【図１０】  請求項４の実施例を請求項２の実施例魚道に施工した魚道の断面図を（イ）に示し、棚水路部の詳細断面を（ロ）に示す。
【図１１】  請求項４の別の実施例を傾斜側壁面を備えた従来形の魚道に施工した、魚道の断面図を（イ）に示し、垂直側壁面の従来形魚道に左右異なる形状で施工した、魚道の断面図を（ロ）に示す。
【図１２】  請求項４の実施例、図１１（イ）魚道の側断面図である。
【図１３】  請求項５の実施例を従来形魚道に施工したもので、異なった施工例（イ）及び（ロ）を示す。
【図１４】  請求項５の棚水路の各種実施例断面形状を（イ）（ロ）（ハ）（ニ）に示す。
【図１５】  図１４に示す棚水路に、チェーンまたはロープを挿入包設した断面図を（イ）（ロ）（ハ）（ニ）に示す。
【図１６】  図１４に示す棚水路に、ロープを挿入包設または阻流板を配設した断面図を（ホ）（ヘ）（ト）に示す。
【符号の説明】
１  魚道。
２  阻流板。
３  阻流板（中高さの）。
４  阻流板（低い高さの）。
５  阻流板（休憩プール用の）。
６  ベース。
７  スキンプレートまたは壁板。
８  側壁板（遡上壁を兼ねた魚道の側壁板）。
９  阻流板。
１０  補強材。
１１  魚道（傾斜側壁を備えた従来形の魚道）。
１２  阻流板。
２１  魚道（垂直側壁の従来形の魚道）。
２２  阻流板。
３１  魚道（垂直側壁の従来形の魚道）。
３２  阻流板。
３３  遡上板（傾斜遡上壁を備えた）。
３４  ブラケット（棚水路取付用）。
３５  ブラケット（棚水路取付用）。
３６  構成材（平坦または浅い水路用の）。
３７  構成材（遡上壁を備えた三角溝棚水路の）。
３８  構成材（三角溝棚水路の）。
３９  棚水路（矩形溝棚水路の）。
４１  チェーン（鎖）。
４２  ロープ。
４３  編み紐。
４４  ホース。
４５  阻流板（棚水路の）。
ａ  滞留水位（高）。
ｂ  滞留水位（中）。
ｃ  滞留水位（低）。
ｄ  流水路（魚道の）。
ｅ  想定越流線（高水位時の）。
ｆ  想定越流線（中水位時の）。
ｇ  想定越流線（低水位時の）。
ｈ  ぬれ縁線（高水位時の想定水際線）。
ｉ  ぬれ縁線（中水位時の想定水際線）。
ｊ  ぬれ縁線（低水位時の想定水際線）。
ｋ  プール（阻流板間）。
ｌ  休憩プール。
ｍ  阻流板頭頂部を結ぶ線。
ｎ  想定越流線（棚水路を設けた場合の）。
ｏ  垂直なぬれ縁となる範囲。
ｐ  傾斜側壁面（阻流板より上方を傾斜側壁面とした従来形魚道の）。
ｑ  頭頂部（阻流板越流部の頭頂部）。
ｒ  遡上壁。
ｓ  傾斜側壁面（請求項１〜３実施例魚道の）。
ｔ  棚水路（魚道に一体的に形成した）。
ｕ  側壁面（従来形魚道の垂直な側壁面）。
ｖ  棚水路（魚道と別体に製作した）。
ｗ  側壁面（従来形魚道の垂直な側壁面）。
ｘ  冠水部（棚水路の）
α  傾斜角度（魚道が水平線となす角度）。
β  流水路の開口角度（阻流板側面と傾斜側壁面がなす角度）。
δ  傾斜側壁面の角度（魚道側壁面が水平線となす角度）。
【図１】
2005098057.tif 000003
【図２】
2005098057.tif 000004
【図３】
2005098057.tif 000005
【図４】
2005098057.tif 000006
【図５】
2005098057.tif 000007
【図６】
2005098057.tif 000008
【図７】
2005098057.tif 000009
【図８】
2005098057.tif 000010
【図９】
2005098057.tif 000011
【図１０】
2005098057.tif 000012
【図１１】
2005098057.tif 000013
【図１２】
2005098057.tif 000014
【図１３】
2005098057.tif 000015
【図１４】
2005098057.tif 000016
【図１５】
2005098057.tif 000017
【図１６】
2005098057.tif 000018